(57)【特許請求の範囲】
【請求項１】
シャッターカーテンを巻き取り、繰り出すための手動式巻取軸が、内部に電動モータが収納されていてこの電動モータの駆動力により回転する電動式巻取軸に改修されているとともに、前記手動式巻取軸の支持用ブラケット及びこのブラケットのブラケット本体に設けられている軸受け部が残されている改修された電動式シャッター装置において、
前記ブラケット本体と前記電動モータとの間に、前記軸受け部によって邪魔されないで配設された中間体が介入されており、この中間体により前記ブラケット本体と前記電動モータとが連結されており、
前記中間体の少なくとも一部を構成する構成部材は開口部を有しており、この開口部の内部に前記軸受け部が挿入されることにより、前記中間体が、前記ブラケット本体と前記電動モータとの間に、前記軸受け部によって邪魔されないで配設されていることを特徴とする改修された電動式シャッター装置。
【請求項２】
シャッターカーテンを巻き取り、繰り出すための手動式巻取軸が、内部に電動モータが収納されていてこの電動モータの駆動力により回転する電動式巻取軸に改修されているとともに、前記手動式巻取軸の支持用ブラケット及びこのブラケットのブラケット本体に設けられている軸受け部が残されている改修された電動式シャッター装置において、
前記ブラケット本体と前記電動モータとの間に、前記軸受け部によって邪魔されないで配設された中間体が介入されており、この中間体により前記ブラケット本体と前記電動モータとが連結されており、
前記中間体の少なくとも一部を構成する構成部材は、前記ブラケット本体の側と前記電動モータの側とのうち、一方の側から他方の側へ延びる長さを有していて、これらのブラケット本体と電動モータとを連結するための延出部を備えており、この延出部が、前記軸受け部に対して前記巻取軸の軸径方向外側に配置されていることにより、前記中間体が、前記ブラケット本体と前記電動モータとの間に、前記軸受け部によって邪魔されないで配設されていることを特徴とする改修された電動式シャッター装置。
【請求項３】
シャッターカーテンを巻き取り、繰り出すための手動式巻取軸が、内部に電動モータが収納されていてこの電動モータの駆動力により回転する電動式巻取軸に改修されているとともに、前記手動式巻取軸の支持用ブラケット及びこのブラケットのブラケット本体に設けられている軸受け部が残されている改修された電動式シャッター装置において、
前記ブラケット本体と前記電動モータとの間に、前記軸受け部によって邪魔されないで配設された中間体が介入されており、この中間体により前記ブラケット本体と前記電動モータとが連結されており、
前記中間体の少なくとも一部を構成する構成部材の形状は屈曲した形状となっており、この屈曲した形状が前記軸受け部を避けた形状となっていることにより、前記中間体が、前記ブラケット本体と前記電動モータとの間に、前記軸受け部によって邪魔されないで配設されていることを特徴とする改修された電動式シャッター装置。
【請求項４】
シャッターカーテンを巻き取り、繰り出すための手動式巻取軸が、内部に電動モータが収納されていてこの電動モータの駆動力により回転する電動式巻取軸に改修されているとともに、前記手動式巻取軸の支持用ブラケット及びこのブラケットのブラケット本体に設けられている軸受け部が残されている改修された電動式シャッター装置において、
前記ブラケット本体と前記電動モータとの間に、前記軸受け部によって邪魔されないで配設された中間体が介入されており、この中間体により前記ブラケット本体と前記電動モータとが連結されており、
前記中間体の少なくとも一部を構成する構成部材には、前記電動モータ又はこの電動モータに取り付けられた部材を下から受けるための受け部が設けられていることを特徴とする改修された電動式シャッター装置。
【請求項５】
請求項１〜４のいずれかに記載の改修された電動式シャッター装置において、前記中間体は、前記支持用ブラケットの側に設けられた第１中間部材と、前記電動モータの側に設けられた第２中間部材とを含んで構成され、前記第１中間部材と前記第２中間部材とが接続されることにより、前記ブラケット本体と前記電動モータとが連結されていることを特徴とする改修された電動式シャッター装置。
【請求項６】
請求項１〜５のいずれかに記載の改修された電動式シャッター装置において、前記中間体の少なくとも一部を構成する構成部材は前記ブラケット本体に取り付けられており、この取り付けは、前記構成部材が前記軸受け部に当接されることにより、前記ブラケット本体に対する取付位置が位置決めされて行われていることを特徴とする改修された電動式シャッター装置。
【請求項７】
請求項６に記載の改修された電動式シャッター装置において、前記取付位置の位置決めは上下方向の位置決めとなっていることを特徴とする改修された電動式シャッター装置。
【発明の詳細な説明】
【技術分野】
【０００１】
本発明は、シャッターカーテンを巻き取り、繰り出すための手動式巻取軸が、電動モータの駆動力で回転する電動式巻取軸に改修されたシャッター装置に係り、例えば、窓用シャッター装置や出入口用シャッター装置を含む各種のシャッター装置に利用できるものである。
【背景技術】
【０００２】
窓サッシの外側に配設される窓用シャッター装置では、巻取軸がシャッターカーテンの巻き取り、繰り出しのための回転を行うことにより、シャッターカーテンは上下に開閉移動する。巻取軸が、シャッターカーテンを手や操作棒等により人為的に上下動させることによる手動によって回転する手動式巻取軸となっているシャッター装置については、シャッター装置の取り扱い容易化や高品質化等のため、この手動式巻取軸を、電動モータの駆動力で回転する電動式巻取軸に改修することが求められるときがあり、このような改修に対処できる先行技術として、下記の特許文献１に示されている技術が知られている。
【０００３】
この先行技術では、電動モータを巻取軸の内部に収納されるものとするとともに、この電動モータの端部にアダプタ部材を取り付け、また、手動式巻取軸を支持していたブラケット及びこのブラケットの本体に設けられている軸受け部をそのまま残し、上記アダプタ部材に、この軸受け部で支持することができる軸部を設けることにより、手動式巻取軸を電動式巻取軸に交換しても、巻取軸を支持するブラケットを交換することを不要にしている。
【先行技術文献】
【特許文献】
【０００４】
【特許文献１】特開２００４−２５７０６３号公報
【発明の概要】
【発明が解決しようとする課題】
【０００５】
しかし、手動式巻取軸を電動式巻取軸に交換するときに、手動式巻取軸を支持していたブラケットの軸受け部に錆等が生じ、このため、この軸受け部が電動式巻取軸等の重量を支持することが困難な状態になっている場合がある。このような場合であっても、手動式シャッター装置から電動式シャッター装置への改修作業を容易化するために、手動式巻取軸の支持用ブラケット及びこのブラケットのブラケット本体に設けられている軸受け部を取り外すことなく残し、この支持用ブラケットにより電動式巻取軸を支持させることが望まれる。
【０００６】
本発明の目的は、手動式巻取軸を支持していたブラケットの軸受け部が電動式巻取軸の重量を支持することが困難な状態になっていても、ブラケット及びこのブラケットの本体に設けられている軸受け部を残して、このブラケットにより電動式巻取軸を支持させることができる改修された電動式シャッター装置を提供するところにある。
【課題を解決するための手段】
【０００７】
本発明に係る改修された電動式シャッター装置は、シャッターカーテンを巻き取り、繰り出すための手動式巻取軸が、内部に電動モータが収納されていてこの電動モータの駆動力により回転する電動式巻取軸に改修されているとともに、前記手動式巻取軸の支持用ブラケット及びこのブラケットのブラケット本体に設けられている軸受け部が残されている改修された電動式シャッター装置において、前記ブラケット本体と前記電動モータとの間に、前記軸受け部によって邪魔されないで配設された中間体が介入されており、この中間体により前記ブラケット本体と前記電動モータとが連結されていることを特徴とするものである。
【０００８】
この電動式シャッター装置では、手動式巻取軸の支持用ブラケット及びこのブラケットのブラケット本体に設けられている軸受け部が残されているとともに、ブラケット本体と電動モータとの間には、軸受け部によって邪魔されないで配設された中間体が介入され、この中間体によりブラケット本体と電動モータとが連結されているため、たとえ、手動式巻取軸を支持していたブラケットの軸受け部が電動式巻取軸の重量を支持することが困難な状態になっていても、このブラケットにより電動式巻取軸及び電動モータを支持させることができるようになり、また、ブラケットを取り外して新たなブラケットを設置するための作業を行うことを省略できるため、手動式シャッター装置から電動式シャッター装置への改修作業を容易に行える。
【０００９】
本発明において、上記中間体は１個の部材で構成されたものでもよく、複数個の部材で構成されたものでもよい。
【００１０】
後者の場合における一例は、中間体を、ブラケットの側に設けられた第１中間部材と、電動モータの側に設けられた第２中間部材とを含んで構成されたものとし、第１中間部材と第２中間部材とを接続することにより、ブラケット本体と電動モータとを連結することである。
【００１１】
また、本発明において、中間体の少なくとも一部を構成する構成部材をブラケット本体に取り付ける場合には、この取り付けは、構成部材を軸受け部に当接することにより、ブラケット本体に対する取付位置を位置決めしてもよい。
【００１２】
これによると、中間体の少なくとも一部を構成する構成部材をブラケット本体の所定位置に位置決めして取り付けることができ、これにより、ブラケットに対する電動式巻取軸の姿勢等を一層正確に設定でき、この巻取軸の回転によるシャッターカーテンの巻き取り、繰り出しを一層所定どおりに行わせることができる。
【００１３】
このように中間体の少なくとも一部を構成する構成部材をブラケット本体の所定位置に位置決めして取り付ける場合において、取付位置の位置決めは上下方向の位置決めでもよく、前後方向の位置決めでもよい。取付位置の位置決めを上下方向の位置決めとした場合には、前記中間体を介してブラケット本体と電動モータとが連結される側の巻取軸の一方の端部と、他方の端部との高さ位置を同じ又は略同じにすることができるため、巻取軸を、この巻取軸の軸方向両端を支持する２個のブラケットに、水平精度を高度にして支持させることができるようになる。
【００１４】
また、本発明において、前述したように、ブラケット本体と電動モータとの間に、前記軸受け部によって邪魔されないで中間体を配設することは、各種の形態によって行うことができる。
【００１５】
すなわち、第１番目の形態は、中間体の少なくとも一部を構成する構成部材に開口部を形成し、この開口部の内部に軸受け部を挿入することにより、中間体を、ブラケット本体と電動モータとの間に、軸受け部によって邪魔されないで配設することである。
【００１６】
また、第２番目の形態は、中間体の少なくとも一部を構成する構成部材に、ブラケット本体の側と電動モータの側とのうち、一方の側から他方の側へ延びる長さを有していて、これらのブラケット本体と電動モータとを連結するための延出部を設け、この延出部が、軸受け部に対して巻取軸の軸径方向外側に配置されていることにより、中間体を、ブラケット本体と電動モータとの間に、軸受け部によって邪魔されないで配設することである。
【００１７】
この第２番目の形態における延出部の個数は１個でもよく、複数個でもよい。
【００１８】
また、第３番目の形態は、中間体の少なくとも一部を構成する構成部材を、内部に空洞部を有するものとし、この空洞部に軸受け部を収納することにより、中間体を、ブラケット本体と電動モータとの間に、軸受け部によって邪魔されないで配設することである。
【００１９】
さらに、第４番目の形態は、中間体の少なくとも一部を構成する構成部材の形状を屈曲した形状とし、この屈曲した形状を軸受け部を避けた形状とすることにより、中間体を、ブラケット本体と電動モータとの間に、軸受け部によって邪魔されないで配設することである。
【００２０】
以上のほか、中間体を、ブラケット本体と電動モータとの間に、軸受け部によって邪魔されないで配設することは、例えば、軸受け部の形状等に応じて任意な形態によって行うことができる。
【００２１】
以上説明したそれぞれの形態は、それぞれ単独でも実施することができ、また、２つ又は３つ以上を組み合わせて実施することもできる。
【００２２】
また、本発明において、中間体の少なくとも一部を構成する構成部材には、前記電動モータ又はこの電動モータに取り付けられた部材を下から受けための受け部を設けてもよい。
【００２３】
これによると、巻取軸の重量やこの巻取軸の内部に収納された電動モータの重量、さらには、巻取軸に上端が結合されているシャッターカーテンの重量を、受け部により有効に受けることができる。
【００２４】
本発明では、前述した軸受け部が設けられているブラケット本体は、巻取軸の軸方向両端を支持する２個のブラケットのうち、中間体により電動モータと連結される一方のブラケットのブラケット本体のことであったが、他方のブラケットは、手動式巻取軸の端部を支持していたものを取り外さずに残した既存のブラケットでもよく、また、電動式巻取軸のために新たに取付施工したブラケットでもよい。また、上述の他方のブラケットに、電動式巻取軸の端部を受けるために設けられる軸受け部は、このブラケットが、手動式巻取軸の端部を支持していたものを取り外さずに残した既存のブラケットである場合には、手動式巻取軸の端部を受けるためにこのブラケットに設けられていた既存の軸受け部でもよく、上記既存のブラケットに新たに取付施工した軸受け部でもよい。また、上述の他方のブラケットを、手動式巻取軸の端部を支持していたものを取り外さずに残した既存のブラケットとする場合には、このブラケットと電動式巻取軸との間に中間体を、既存のブラケットの既存の軸受け部に邪魔されないで介入し、この中間体により既存のブラケットと電動式巻取軸とを連結するようにしてもよい。
【００２５】
この中間体についても、電動モータと前述した一方のブラケットのブラケット本体とを連結するための前記中間体と同様に、前述した各種の形態のものとすることができる。
【００２６】
また、巻取軸の内部に収納されてこの巻取軸を回転させるための電動モータは、ブレーキと組み合わせられて開閉機の一部を構成するものでもよく、ブレーキ等と組み合わせられず、電動モータ単独となっているものでもよい。
【００２７】
また、本発明は、シャッターカーテンが巻取軸で巻き取られ、繰り出される各種のシャッター装置に適用することができ、その一例のシャッター装置は窓用シャッター装置であり、また、本発明は、出入口をシャッターカーテンで開閉する出入口用シャッター装置等にも適用することができる。
【発明の効果】
【００２８】
本発明によると、手動式巻取軸を支持していたブラケットの軸受け部が電動式巻取軸の重量を支持することが困難な状態になっていても、ブラケット及びこのブラケットの本体に設けられている軸受け部を残して、このブラケットにより電動式巻取軸を支持させることができるという効果を得られる。
【図面の簡単な説明】
【００２９】
【図１】図１は、本発明の一実施形態が適用される窓用シャッター装置の全体を示す正面図である。
【図２】図２は、図１の窓用シャッター装置で示されている手動式巻取軸の端部が支持用ブラケットで支持されている構造を示す斜視図である。
【図３】図３は、図２の構造を示す分解斜視図である。
【図４】図４は、電動式巻取軸を示す正断面図である。
【図５】図５は、図４の電動式巻取軸の内部に収納され、電動モータが構成要素となっている開閉機が支持用ブラケットで支持されている構造を、電動式巻取軸を省略して示す斜視図である。
【図６】図６は、図５の構造を示す分解斜視図である。
【図７】図７は、図５及び図６で示されている中間体の構成部材となっている第１中間部材と軸受け部との位置関係を示す図である。
【図８】図８は、第１中間部材と軸受け部との位置関係を図７とは別の位置関係とした実施形態を示す図である。
【図９】図９は、中間体の第１別実施形態を示す図５と同様の図である。
【図１０】図１０は、図９の中間体について示す図６と同様の図である。
【図１１】図１１は、中間体についての第２別実施形態を示す図５と同様の図である。
【図１２】図１２は、図１１の中間体について示す図６と同様の図である。
【発明を実施するための形態】
【００３０】
以下に本発明を実施するための形態を図面に基づいて説明する。図１には、本発明の一実施形態が適用される窓用シャッター装置の全体正面図が示されており、この窓用シャッター装置は、電動式シャッター装置に改修される前の手動式シャッター装置である。
【００３１】
この手動式の窓用シャッター装置は、障子１が配設された窓サッシよりも外側の建物外壁２の部分に設置され、シャッターカーテン３は、左右のガイドレール４に案内されて上下に開閉移動することにより、窓サッシの外側の窓用開口部を開閉する。この窓用開口部の上部にはシャッターケース５が配設され、このシャッターケース５の内部に水平に収納されている手動式巻取軸６にシャッターカーテン３の上端が連結されているとともに、この手動式巻取軸６は、左右の支持用ブラケット７，８で回転自在に支持されている。
【００３２】
シャッターカーテン３の下端の座板３Ａ等を手等による手動で押し上げると、シャッターカーテン３は巻取軸６に巻き取られて上方へ開き移動し、座板３Ａ等を押し下げると、シャッターカーテン３は巻取軸６から繰り出されて下方へ閉じ移動する。また、巻取軸６の内部には、シャッターカーテン３が巻取軸６から繰り出されるときに、戻しばね力が蓄圧されるねじりコイルばねによる戻しばねが収納されており、このため、シャッターカーテン３が巻取軸６に巻き取られて上方へ開き移動することは、この戻しばねの戻しばね力によって補助されて行われる。
【００３３】
ブラケット７，８による巻取軸６の支持は、巻取軸６の軸方向両端に設けられた軸部６Ａ，６Ｂが、ブラケット７，８に設けられている軸受け部９，１０で支持されることにより行われている。図２には、ブラケット７，８のうち、一方のブラケット７の軸受け部９による巻取軸６の軸部６Ａの支持構造が示しており、他方のブラケット８の軸受け部１０による巻取軸６の軸部６Ｂの支持構造は、この図２で示されている構造と左右対称の同じ構造になっている。
【００３４】
次に、手動式巻取軸６の構造及び図２の支持構造を説明する。前述したように、手動式巻取軸６の内部には、シャッターカーテン３が巻取軸６から繰り出されるときに戻しばね力が蓄圧される戻しばねが収納されているため、軸部６Ａは、巻取軸６の内部に端部を残して挿入されている非回転軸のこの端部により形成され、この非回転軸との間に軸受け部材が介設されている巻取軸６は、この非回転軸を中心に回転自在となっている。また、この非回転軸又は上記軸部６Ｂを形成している非回転軸には、巻取軸６の内部に収納されている戻しばねの一端が連結され、戻しばねの他端は巻取軸６に連結されている。このため、上述のように、シャッターカーテン３が巻取軸６から繰り出されるときには、巻取軸６の回転により戻しばねに戻しばね力が蓄圧され、シャッターカーテン３が巻取軸６に巻き取られるときの巻取軸６の回転は、戻しばね力によって補助される。
【００３５】
図２に示されているように、板金製のブラケット７は、ブラケット本体７Ａと、このブラケット本体７Ａの補強のためにも設けられている後端折曲部７Ｂと、下端折曲部７Ｃとを有するものとなっており、後端折曲部７Ｂが図１で示した建物外壁２にアンカー部材等の結合具で結合されることにより、ブラケット７は建物外壁２に固定されている。ブラケット本体７Ａには、巻取軸６の軸部６Ａを受けて支持するために、上記軸受け部９が設けられている。この軸受け部９は、板金の折り曲げ品となっている１個の軸受け部材で形成されており、また、軸受け部９は、底部９Ａと、この底部９Ａの前後両端から立ち上がった立上部９Ｂ，９Ｃとを有するため、上向きに開口したコ字形状となっている。また、軸受け部９は、底部９Ａから下方へ延びる取付部９Ｄと、立上部９Ｂ，９Ｃから巻取軸６の軸径方向外側の前後方向に延びる取付部９Ｅ，９Ｆとを有し、これらの取付部９Ｄ〜９Ｆがブラケット本体７Ａに溶接又はリベット等の結合具で結合されることにより、上記軸受け部材による軸受け部９がブラケット本体７Ａに設けられていることになる。
【００３６】
図３に示されているように、両方の立上部９Ｂ、９Ｃと軸部６Ａには孔１１〜１３が形成され、軸部６Ａを軸受け部９に挿入した後に、これらの孔１１〜１３にボルト１４を挿入し、立上部９Ｃの孔１２から突出したボルト１４の軸端にナット１５を螺合することにより、手動式巻取軸６の端部に設けられている軸部６Ａは、非回転状態となって軸受け部９で支持されることになる。
【００３７】
なお、以上の実施形態では、図１に示されているように、左右のブラケット７，８はシャッターケース５とは別の部材となっていたが、ブラケット７，８は、シャッターケース５の一部を兼ねるもの、すなわち、シャッターケース５の左右の側板部を兼ねるものでもよい。
【００３８】
図４は、手動式窓用シャッター装置を電動式窓用シャッター装置に改修するために、手動式巻取軸６から交換される電動式巻取軸２０を示している。この電動式巻取軸２０のブラケット７側の端部の内部には、電動モータとブレーキの組み合わせからなる開閉機２１が収納されている。図面では、電気配線は省略されている。ブレーキは、後述するように、巻取軸２０が電動モータの回転駆動力により回転してシャッターカーテン３が全開位置や全閉位置に達したことが巻取軸２０の回転数検出センサ等で検出されて、この検出信号が図示しない制御装置に入力したり、電動モータの回転や停止を操作するための操作装置から停止信号がこの制御装置に入力したときに、電動モータの出力部材の回転駆動を停止させて巻取軸２０を回転停止状態とするためのものである。
【００３９】
開閉機２１には、電動モータの出力部材の回転駆動により回転するリング状の駆動部材２２が設けられ、この駆動部材２２に円周方向に複数形成されている溝２２Ａに、巻取軸２０の内面に設けられている突起２０Ａが挿入されているため、駆動部材２２と巻取軸２０は、巻取軸２０の回転方向に連結されている。このため、電動モータの出力部材の回転駆動により駆動部材２２が回転すると、巻取軸２０は回転することになる。また、開閉機２１の外周には、巻取軸２０と一体となって回転するリング状の従動部材２３が嵌合され、電動モータの回転駆動力による巻取軸２０の回転は、この従動部材２３が軸受け部材となって行われる。
【００４０】
一方、この巻取軸２０のブラケット８側の端部の内部には、戻しばねユニット２４が挿入されている。この戻しばねユニット２４は、非回転の中心軸２５と、この中心軸２５に軸受け部材２６で回転自在に配置された２個のホイール部材２７と、これらのホイール部材２７の間に配設されたねじりコイルばねによる２個の戻しばね２８とを含んで構成されている。それぞれのホイール部材２７は巻取軸２０にリベット等で結合され、また、それぞれの戻しばね２８の一端は連結具２９Ａで中心軸２５に連結されているとともに、他端は連結具２９Ｂでそれぞれのホイール部材２７に連結されている。
【００４１】
このため、電動式巻取軸２０に、手動式巻取軸６から取り外されたシャッターカーテン３の上端が連結された後に、シャッターカーテン３を巻き取っている電動式巻取軸２０が、電動モータの回転駆動力により非回転の中心軸２５を中心に回転してシャッターカーテン３が繰り出されたときには、戻しばね２８に戻しばね力が蓄圧され、この戻しばね力は、電動式巻取軸２０が電動モータの回転駆動力により逆回転してシャッターカーテン３を巻き取るときに、補助力として利用される。
【００４２】
本実施形態では、中心軸２５の軸端部２５Ａは巻取軸２０から突出しており、この軸端部２５Ａは、手動式巻取軸６のときにも使用されていたブラケット８の軸受け部１０で支持され、そして、これらの軸端部２５Ａと軸受け部１０は、図３で説明したボルト１４及びナット１５と同様のボルト及びナットにより連結されている。
【００４３】
このため、本実施形態では、電動式巻取軸２０の中心軸２５を支持するためにも、既存のブラケット８及びこのブラケット８のブラケット本体８Ａに設けられている既存の軸受け部１０が用いられている。
【００４４】
なお、電動式巻取軸２０の中心軸２５を支持するために、既存のブラケット８に代わる新たなブラケットを建物外壁２に取り付けてもよく、また、既存のブラケット８に設けられていた既存の軸受け部１０を取り外し、既存のブラケット８に新たな軸受け部を設けてもよい。さらに、既存のブラケット８のブラケット本体８Ａと中心軸２５の軸端部２５Ａとの間に、既存の軸受け部１０によって邪魔されないでブラケット本体８Ａと中心軸２５の軸端部２５Ａとを連結するための中間体を介入してもよい。
【００４５】
また、電動式巻取軸２０に上端を連結するシャッターカーテンを、手動式シャッター装置で使用していたシャッターカーテン３とするではなく、電動式シャッター装置のための専用のシャッターカーテンとしてもよい。
【００４６】
次に、図４で示されている開閉機２１側の電動式巻取軸２０の端部を既存のブラケット７に支持させるための構造について、図４〜図７により説明する。なお、図５及び図６では巻取軸２０が省略され、開閉機２１が示されている。
【００４７】
電動式巻取軸２０をブラケット７により支持する構造のために、図４に示されているように、電動モータが構成要素となっている開閉機２１とブラケット７とが、中間体３０により連結されている。この中間体３０は、ブラケット７側に設けられている第１中間部材３１と、開閉機２１側に設けられている第２中間部材３２とを含んで構成されている。板金の打ち抜き、折り曲げで形成されている第１中間部材３１は、図５及び図６に示されているように、ブラケット７のブラケット本体７Ａにリベット等の結合具３３で結合される板状のベース部３１Ａと、このベース部３１Ａから開閉機２１側へ、言い換えると、巻取軸２０側へ延びる長さを有している３個の延出部３１Ｂ〜３１Ｄとを備えたものとなっている。図７に示されているように、ベース部３１Ａには、上部開口部３４Ａと下部開口部３４ＢとからなるＴ字形状の開口部３４が形成され、この開口部３４の大きさは、ブラケット７に既存部分として設けられている軸受け部９の全体を挿入できる大きさとなっている。上部開口部３４Ａの前後両端（図７では左右両端）に、折り曲げ加工により延出部３１Ｂ，３１Ｃが設けられ、下部開口部３４Ｂの下端に、折り曲げ加工により延出部３１Ｄが設けられている。
【００４８】
結合具３３によるベース部３１Ａのブラケット本体７Ａへの結合は、軸受け部９の外側において、言い換えると、軸受け部９に対して電動式巻取軸２０の軸径方向外側において行われる。このため、この結合を、軸受け部９と干渉することなく行うことができる。
【００４９】
開閉機２１側の第２中間部材３２は、図４に示されているように、この第２中間部材３２の開閉機２１への取り付けのために開閉機２１の端面に巻取軸６から突出した位置で結合されている補助部材３５に、リベット等の結合具３６により結合されたものとなっている。また、第２中間部材３２は、結合具３６で補助部材３５に結合された底部３２Ａと、巻取軸２０の軸方向の幅寸法を有するリング状の円周部３２Ｂとを備えるカップ状となっており、したがって、第２中間部材３２は、内部に空洞部３７を有するものとなっている。ブラケット７側に向かって開口しているこの空洞部３７の大きさは、軸受け部９の全体を内部に挿入できる大きさとなっている。
【００５０】
第１中間部材３１と第２中間部材３２を構成部材としている中間体３０により開閉機２１とブラケット７とを連結するためには、まず、第１中間部材３１のベース部３１Ａを既存のブラケット７のブラケット本体７Ａに結合具３３で結合する。この結合作業は、図７に示されているように、開口部３４の内部に軸受け部９を挿入するとともに、上部開口部３４Ａの下縁３４Ｃを軸受け部９の前記底部９Ａの下面や取付部９Ｅ，９Ｆの下面に当接させることにより、言い換えると、軸受け部９を基準にして第１中間部材３１の位置を上下方向に位置決めすることにより、行うこととする。
【００５１】
このように位置決めを行えるようにするためには、図７に示されているように、上部開口部３４Ａの上縁３４Ｄから下縁３４Ｃまでの上下寸法Ｈ１を、軸受け部９の立上部９Ｂ，９Ｃの上面や取付部９Ｅ，９Ｆの上面から底部９Ａの下面や取付部９Ｅ，９Ｆの下面までの上下寸法Ｈ２よりも大きくし、開口部３４の内部に軸受け部９を挿入した後に、第１中間部材３１を持ち上げることにより、上部開口部３４Ａの下縁３４Ｃを軸受け部９の底部９Ａの下面や取付部９Ｅ，９Ｆの下面に当接させる。そして、これにより、上部開口部３４Ａの上縁３４Ｄと、軸受け部９の立上部９Ｂ，９Ｃの上面や取付部９Ｅ，９Ｆの上面との間に、上下寸法Ｈ１とＨ２の差に基づく隙間Ｓを設けた後に、ベース部３１Ａを結合具３３によりブラケット本体７Ａに結合する。
【００５２】
このように第１中間部材３１を軸受け部９に当接させる側とは反対側において、第１中間体３１と軸受け部９との間に隙間Ｓを設けることにより、第１中間部材３１を軸受け部９に対して位置決めすることができる。
【００５３】
次いで、巻取軸２０から突出した位置で開閉機２１に補助部材３５を介して結合されている第２中間部材３２をブラケット７に近づけ、図５から分かるように、この第２中間部材３２の内部の空洞部３７に軸受け部９を収納する。この後、図６で示されているボルト３８を、第１中間部材３１の延出部３１Ｂ，３１Ｃに形成されている孔３９，４０と、第２中間部材３２の円周部３２Ｂに２個形成されている孔４１と、軸受け部９の立上部９Ｂ，９Ｃに形成されている前記孔１１，１２とに挿入し、延出部３１Ｃの孔４０から突出したボルト３８の軸端にナット４２を螺合する。
【００５４】
これにより、第１中間部材３１と第２中間部材３２はボルト３８及びナット４２により接続されるとともに、第１中間部材３１と第２中間部材３２が構成部材となっている中間体３０により、開閉機２１とブラケット７のブラケット本体７Ａとが連結されることになる。このため、開閉機２１は、図４で示した中心軸２５と同じく非回転となって、中間体３０を介してブラケット７に支持されることになり、そして、前述したように、開閉機２１の電動モータの回転駆動力により、巻取軸２０は回転することになる。
【００５５】
以上説明した本実施形態によると、中間体３０を第２中間部材３２と共に構成している第１中間部材３１は、手動式巻取軸６のときからブラケット７に存在している軸受け部９が内部に挿入される開口部３４を有しており、また、第１中間部材３１には、ブラケット７側から開閉機２１側へ延びる長さを有していて、軸受け部９に対して巻取軸２０の軸径方向外側に配置されている延出部３１Ｂ，３１Ｃ，３１Ｄが設けられているため、延出部３１Ｂ，３１Ｃを用いることにより開閉機２１とブラケット７のブラケット本体７Ａとを連結しても、第１中間部材３１が軸受け部９に邪魔されないでこの連結を行える。また、第２中間部材３２は、内部に軸受け部９が収納される空洞部３７が設けられた部材となっているため、第２中間部材３２を用いて開閉機２１とブラケット７のブラケット本体７Ａとを連結しても、第２中間部材３２も軸受け部９に邪魔されないでこの連結を行える。
【００５６】
そして、本実施形態によると、手動式巻取軸６を電動式巻取軸２０に交換しても、手動式巻取軸６のときから存在していたブラケット７のブラケット本体７Ａに、巻取軸２０の内部に収納した開閉機２１を中間体３０を介して連結するため、既存のブラケット７をそのまま利用できるとともに、このブラケット７のブラケット本体７Ａに既存部分として設けられている軸受け部９が錆の発生等のために電動式巻取軸２０の重量等を支持できる状態になっていなくても、この軸受け部９の影響を受けることなく、開閉機２１をブラケット本体７Ａに中間体３０を介して連結することができる。
【００５７】
また、本実施形態によると、図６に示されているように、ボルト３８が挿入される前記孔３９，４０，１１，１２は上下に長い長孔になっているため、ボルト３８及びナット４２により第１中間部材３１と第２中間部材３２とを接続したときに、図４に示されているように、第２中間部材３２の円周部３２Ｂを第１中間部材３１の延出部３１Ｄの上に載せることができる。これにより、この延出部３１Ｄは、開閉機２１等の重量を下から受けるための受け部となり、開閉機２１等のために全体重量が重くなっている電動式巻取軸２０を第１中間部材３１により有効に支持することができる。
【００５８】
さらに、第１中間部材３１のベース部３１Ａをブラケット７のブラケット本体７Ａに結合するときに、前述したように、上部開口部３４Ａの下縁３４Ｃを軸受け部９の底部９Ａの下面や取付部９Ｅ，９Ｆの下面に当接させることにより、第１中間部材３１の位置を上下方向に位置決めしているため、図４で示されているブラケット８の軸受け部１０の高さ位置に基づき、巻取軸２０の水平精度を高度に設定することができ、これにより、巻取軸２０によるシャッターカーテンの巻き取り、繰り出しを一層正確に行わせることができる。
【００５９】
なお、第１中間部材３１の位置を上下方向に位置決めすることは、図８に示されているように、上部開口部３４Ａの上縁３４Ｄを軸受け部９の立上部９Ｂ、９Ｃの上面や取付部９Ｅ，９Ｆの上面に当接させることにより、行ってもよい。
【００６０】
また、本実施形態の軸受け部９は、前述したように、上向きに開口したコ字形状となっていたが、この形状は任意な形状でよく、例えば、上向きに開口した半円形状でもよく、円形状でもよい。
【００６１】
図９及び図１０には、開閉機２１をブラケット本体７Ａに連結するための別実施形態に係る中間体５０が示されている。この中間体５０も、ブラケット７側に設けられている第１中間部材５１と、開閉機２１側に設けられている第２中間部材５２とを含んで構成されている。
【００６２】
図１０には、第１中間部材５１の拡大斜視図が示されており、この第１中間部材５１は、軸受け部９と同様に、底部５１Ａと、この底部５１Ａの前後両端から立ち上がった立上部５１Ｂ，５１Ｃとを有し、また、底部５１Ａから下方へ延びる取付部５１Ｄと、立上部５１Ｂ，５１Ｃから巻取軸２０の軸径方向外側の前後方向に延びる取付部５１Ｅ，５１Ｆとを有する。底部５１Ａと立上部５１Ｂ，５１Ｃとにより、上向きに開口したコ字形状が形成されている。この第１中間部材５１は、軸受け部９を下側及び前後側から抱持するようにブラケット７のブラケット本体７Ａに取り付けられるものとなっており、このため、軸受け部９の底部９Ａ及び立上部９Ｂ，９Ｃよりも長くなっている開閉機２１側への延出長さを有している底部５１Ａ及び立上部５１Ｂ，５１Ｃには、これらの延出長さの途中において、内側への屈曲部５３が形成され、これらの屈曲部５３よりも先端側の底部５１Ａ及び立上部５１Ｂ，５１Ｃの部分５１Ｇ，５１Ｈ，５１Ｉは、軸受け部９の底部９Ａ及び立上部９Ｂ，９Ｃと面一又は略面一の状態となる部分となっている。
【００６３】
また、軸受け部９の取付部９Ｄ，９Ｅ，９Ｆよりも長くなっている取付部５１Ｄ，５１Ｅ，５１Ｆにも屈曲部５４が形成され、これらの屈曲部５４により、取付部５１Ｄ，５１Ｅ，５１Ｆには、軸受け部９の取付部９Ｄ，９Ｅ，９Ｆをブラケット本体７Ａとの間に収納できる部分５１Ｊ，５１Ｋ，５１Ｌが設けられており、取付部５１Ｄ，５１Ｅ，５１Ｆは、残りの部分５１Ｍ，５１Ｎ，５１Ｐにおいて、図９に示されているように、リベット等の結合具５５によりブラケット本体７Ａに結合される。
【００６４】
図９に示されているように、第２中間部材５２は、開閉機２１の前記補助部材３５に結合されており、この第２中間部材５２は、補助部材３５に結合された円板状のベース部５２Ａと、このベース部５２Ａからブラケット７側へ延びる軸部５２Ｂとを有する。
【００６５】
開閉機２１をブラケット本体７Ａに中間体５０を介して連結するためには、第２中間部材５２の軸部５２Ｂを、第１中間部材５１の底部５１Ａ及び立上部５１Ｂ，５１Ｃの部分５１Ｇ，５１Ｈ，５１Ｉで形成されている空間部に挿入し、次いで、部分５１Ｈ，５１Ｉに設けられている孔５６，５７と軸部５２Ｂに設けられている孔とにボルト５８を挿入し、部分５１Ｉの孔５７から突出したボルト５８の軸端にナットを螺合する。これにより、第１中間部材５１と第２中間部材５２はボルト５８及びナットにより接続されるとともに、第１中間部材５１と第２中間部材５２が構成部材となっている中間体５０により、開閉機２１とブラケット７のブラケット本体７Ａとが連結されることになる。
【００６６】
この実施形態によると、第１中間部材５１には屈曲部５３，５４が形成されているため、この第１中間部材５１の形状は屈曲した形状になっており、この屈曲した形状により、第１中間部材５１を、軸受け部９を避けて、言い換えると、前記実施形態と同様に軸受け部９に邪魔されずに、開閉機２１とブラケット本体７Ａとの間に配設することができる。
【００６７】
また、この実施形態でも、第１中間部材５１を軸受け部９に下から当接させてブラケット本体７Ａに取り付けることにより、第１中間部材５１の取付位置を上下方向に位置決めすることができる。
【００６８】
図１１及び図１２には、開閉機２１をブラケット本体７Ａに連結するためのさらに別実施形態に係る中間体６０が示されている。この中間体６０も、ブラケット７側に設けられている第１中間部材６１と、開閉機２１側に設けられている第２中間部材６２とを含んで構成されている。
【００６９】
図１２には、軸受け部９との関係で示された第１中間部材６１が示されている。四角形の板状となっているこの第１中間部材６１は、軸受け部９の取付部９Ｄ〜９Ｆをブラケット本体７Ａとの間に収納できるように、四隅の部分６１Ａ〜６１Ｄに対して巻取軸２０側へ平坦状に突出した突出部６１Ｅを有している。十字形となっているこの突出部６１Ｅには、軸受け部９の底部９Ａ及び立上部９Ｂ，９Ｃを挿入することができる開口部６３が形成されている。また、第１中間部材６１の上下部には、図１１に示されているように、開閉機２１の側へ、すなわち、電動式巻取軸２０の側へ延びる長さを有している延出部６１Ｆ，６１Ｇが折り曲げ加工により形成されている。
【００７０】
なお、本実施形態の開口部６３は、図１２に示されているように、軸受け部９の底部９Ａ及び立上部９Ｂ，９Ｃと同じく、上向きに開口したコ字形状となっているが、例えば、四角形の開口部でもよい。
【００７１】
図１１に示されているように、開閉機２１側の第２中間部材６２は、断面円形の軸部材であり、この第２中間部材６２は、本実施形態では開閉機２１の端面に直接取り付けられているが、これまでの実施形態と同様に、補助部材３５を介して開閉機２１の端面に取り付けてもよい。
【００７２】
開閉機２１をブラケット本体７Ａに中間体６０を介して連結するためには、軸受け部９の底部９Ａ及び立上部９Ｂ，９Ｃを第１中間部材の開口部６３に挿入して、第１中間部材６１の四隅の部分６１Ａ〜６１Ｄをブラケット本体７Ａにリベット等の結合具６４で結合することにより、第１中間部材６１をブラケット本体７Ａに取り付け、この後に、第２中間部材６２を第１中間部材６１の２個の延出部６１Ｆ，６１Ｇの間に挿入する。そして、これらの延出部６１Ｆ，６１Ｇに設けられている孔６５と第２中間部材６２に設けられている孔とにボルト６６を挿入し、延出部６１Ｇの孔から突出したボルト６６の軸端にナットを螺合する。
【００７３】
これにより、第１中間部材６１と第２中間部材６２はボルト６６及びナットにより接続され、また、第１中間部材６１と第２中間部材６２が構成部材となっている中間体６０により、開閉機２１とブラケット７のブラケット本体７Ａとが連結されることになる。
【００７４】
この実施形態によると、第１中間部材６１には、軸受け部９の取付部９Ｄ〜９Ｆをブラケット本体７Ａとの間に収納するための突出部６１Ｅが形成されていることや、軸受け部９の底部９Ａ及び立上部９Ｂ，９Ｃが挿入される開口部６３が形成されていること、軸受け部９に対して巻取軸２０の軸径方向外側に配置される２個の延出部６１Ｆ，６１Ｇが設けられていることのため、第１中間部材６１が軸受け部９と干渉することなく、言い換えると、第１中間部材６１が軸受け部９に邪魔されことなく、第１中間部材６１を開閉機２１とブラケット７との間に配設することができる。
【００７５】
また、図１２に示されているように、開口部６３の下縁６３Ａを軸受け部９の底部９Ａの下面に当接させて第１中間部材６１をブラケット７に取り付けることにより、第１中間部材６１の取付位置を上下方向に位置決めすることができる。
【産業上の利用可能性】
【００７６】
本発明は、シャッターカーテンを巻き取り、繰り出すための手動式巻取軸を、電動モータの駆動力で回転する電動式巻取軸に改修される、例えば、窓用シャッター装置や出入口用シャッター装置を含む各種のシャッター装置に利用することができる。
【符号の説明】
【００７７】
３  シャッターカーテン
６  手動式巻取軸
７，８  支持用ブラケット
７Ａ，８Ａ  ブラケット本体
９，１０  軸受け部
２０  電動式巻取軸
２１  電動モータが構成要素となっている開閉機
３０，５０，６０  中間体
３１，５１，６１  第１中間部材
３１Ｂ，３１Ｃ，６１Ｆ，６２Ｇ  延出部
３１Ｄ  受け部となっている延出部
３２，５２，６２  第２中間部材
３４，６３  開口部
３７  空洞部
５３，５４  屈曲部
【図１】
0005584563.tif 000002
【図２】
0005584563.tif 000003
【図３】
0005584563.tif 000004
【図４】
0005584563.tif 000005
【図５】
0005584563.tif 000006
【図６】
0005584563.tif 000007
【図７】
0005584563.tif 000008
【図８】
0005584563.tif 000009
【図９】
0005584563.tif 000010
【図１０】
0005584563.tif 000011
【図１１】
0005584563.tif 000012
【図１２】
0005584563.tif 000013